(57)【要約】  カードの主面及び側面に画像を形成する。熱転写印画装置は、支持体の一方の面に前記支持体から剥離可能に転写層が設けられた中間転写媒体を供給する第１供給部と、基材の一方の面上に色材層が設けられた熱転写シートを供給する第２供給部と、画像データに基づいて前記熱転写シートを加熱し、前記転写層に前記色材層のインクを転写して画像を形成する印画部と、前記中間転写媒体を加熱し、前記画像が形成された前記転写層を前記カードの主面及び側面に転写する転写部と、を備える。
2019208531.tif 000002
【特許請求の範囲】
【請求項１】
支持体の一方の面に前記支持体から剥離可能に転写層が設けられた中間転写媒体を供給する第１供給部と、
基材の一方の面上に色材層が設けられた熱転写シートを供給する第２供給部と、
画像データに基づいて前記熱転写シートを加熱し、前記転写層に前記色材層のインクを転写して画像を形成する印画部と、
前記中間転写媒体を加熱し、前記画像が形成された前記転写層を前記カードの主面及び側面に転写する転写部と、
を備える熱転写印画装置。
【請求項２】
前記転写部は、第１ヒートローラ及び第２ヒートローラを有し、前記カードの第１主面と前記第１ヒートローラとの間に前記中間転写媒体を挟み、前記カードの第２主面と前記第２ヒートローラとの間に前記中間転写媒体を挟み、前記第１主面及び前記第２主面に前記転写層を転写することを特徴とする請求項１に記載の熱転写印画装置。
【請求項３】
前記転写部は、前記カードの側面との間に前記中間転写媒体を挟み込み、前記転写層を前記側面に転写する押圧部材を有することを特徴とする請求項１又は２に記載の熱転写印画装置。
【請求項４】
前記押圧部材はヒータであることを特徴とする請求項３に記載の熱転写印画装置。
【請求項５】
前記中間転写媒体を介して前記カードの側面に接触する前記押圧部材の接触面は平坦になっていることを特徴とする請求項３又は４に記載の熱転写印画装置。
【請求項６】
前記中間転写媒体を介して前記カードの側面に接触する前記押圧部材の接触面には、前記カードの端部が入り込む凹部が設けられていることを特徴とする請求項３又は４に記載の熱転写印画装置。
【請求項７】
前記印画部は、前記転写層に、前記主面用の第１画像と、前記側面用の第２画像を形成し、
前記第２画像は、１つの画像をストライプ状に分割した分割画像であることを特徴とする請求項１乃至６のいずれか１項に記載の熱転写印画装置。
【請求項８】
前記第１画像は、１つの画像をメッシュ状に分割した分割画像であることを特徴とする請求項７に記載の熱転写印画装置。
【請求項９】
支持体の一方の面に前記支持体から剥離可能に転写層が設けられた中間転写媒体を供給する工程と、
基材の一方の面上に色材層が設けられた熱転写シートを供給する工程と、
画像データに基づいて前記熱転写シートを加熱し、前記転写層に前記色材層のインクを転写して画像を形成する工程と、
前記中間転写媒体を加熱し、前記画像が形成された前記転写層をカードの主面及び側面に転写して印画物を製造する工程と、
を備える印画物の製造方法。
【請求項１０】
複数のカードを含むカードセットであって、
各カードの側面に画像をストライプ状に分割した分割画像が印画されており、
前記複数のカードを積層した積層体の側面に前記画像が表現されることを特徴とするカードセット。
【請求項１１】
各カードの主面には、１つの画像を分割した分割画像が印画されていることを特徴とする請求項１０に記載のカードセット。
【発明の詳細な説明】
【技術分野】
【０００１】
本発明は、熱転写印画装置、印画物の製造方法、及びカードセットに関する。
【背景技術】
【０００２】
熱転写画像を任意の対象物に形成するプリンタの１つとして、受容層が基材上に剥離可能に設けられた中間転写媒体と、色材層を有する熱転写シートとを使用し、中間転写媒体の受容層にインクを転写して画像を形成し、その後、画像が形成された受容層を含む転写層を中間転写媒体から被転写体上に転写する熱転写プリンタが提案されている。【０００３】
また、画像が形成されたフィルムをカード両面に同時に貼り付けるカードプリンタが知られている。【０００４】
このように、従来は、片面又は両面に画像を形成したカード等の印画物が作製されていた。熱転写プリンタを用いてさらにユニークな印画物を作製することが求められている。【０００５】
【特許文献１】特開２００２−１４３３６７号公報
【特許文献２】特開２０１７−１７７４００号公報
【特許文献３】米国特許第６２８３１８８号明細書
【発明の概要】
【０００６】
本発明は、カードの主面だけでなく側面にも画像を形成することができる熱転写印画装置及び印画物の製造方法を提供することを課題とする。また、本発明は、カード積層体の側面に画像が表現されるカードセットを提供することを課題とする。
【０００７】
本発明による熱転写印画装置は、支持体の一方の面に前記支持体から剥離可能に転写層が設けられた中間転写媒体を供給する第１供給部と、基材の一方の面上に色材層が設けられた熱転写シートを供給する第２供給部と、画像データに基づいて前記熱転写シートを加熱し、前記転写層に前記色材層のインクを転写して画像を形成する印画部と、前記中間転写媒体を加熱し、前記画像が形成された前記転写層を前記カードの主面及び側面に転写する転写部と、を備えるものである。
【０００８】
本発明の一態様では、前記転写部は、第１ヒートローラ及び第２ヒートローラを有し、前記カードの第１主面と前記第１ヒートローラとの間に前記中間転写媒体を挟み、前記カードの第２主面と前記第２ヒートローラとの間に前記中間転写媒体を挟み、前記第１主面及び前記第２主面に前記転写層を転写する。
【０００９】
本発明の一態様では、前記転写部は、前記カードの側面との間に前記中間転写媒体を挟み込み、前記転写層を前記側面に転写する押圧部材を有する。
【００１０】
本発明の一態様では、前記押圧部材はヒータである。
【００１１】
本発明の一態様では、前記中間転写媒体を介して前記カードの側面に接触する前記押圧部材の接触面は平坦になっている。
【００１２】
本発明の一態様では、前記中間転写媒体を介して前記カードの側面に接触する前記押圧部材の接触面には、前記カードの端部が入り込む凹部が設けられている。
【００１３】
本発明の一態様では、前記印画部は、前記転写層に、前記主面用の第１画像と、前記側面用の第２画像を形成し、前記第２画像は、１つの画像をストライプ状に分割した分割画像である。
【００１４】
本発明の一態様では、前記第１画像は、１つの画像をメッシュ状に分割した分割画像である。
【００１５】
本発明による印画物の製造方法は、支持体の一方の面に前記支持体から剥離可能に転写層が設けられた中間転写媒体を供給する工程と、基材の一方の面上に色材層が設けられた熱転写シートを供給する工程と、画像データに基づいて前記熱転写シートを加熱し、前記転写層に前記色材層のインクを転写して画像を形成する工程と、前記中間転写媒体を加熱し、前記画像が形成された前記転写層をカードの主面及び側面に転写して印画物を製造する工程と、を備えるものである。
【００１６】
本発明によるカードセットは、複数のカードを含むカードセットであって、各カードの側面に画像をストライプ状に分割した分割画像が印画されており、前記複数のカードを積層した積層体の側面に前記画像が表現されるものである。
【００１７】
本発明の一態様では、各カードの主面には、１つの画像を分割した分割画像が印画されている。
【発明の効果】
【００１８】
本発明によれば、カードの主面だけでなく側面にも画像を形成することができる。また、複数のカードを積層した場合、積層体の側面に画像を表現することができる。
【図面の簡単な説明】
【００１９】
【図１】本発明の実施形態に係る熱転写印画装置の概略構成図である。
【図２】中間転写媒体の平面図である。
【図３】図２のIII-III線断面図である。
【図４】熱転写シートの平面図である。
【図５】図４のV−V線断面図である。
【図６】図６ａ〜６ｄは転写層の転写方法を説明する図である。
【図７】中間転写媒体に印画する画像の例を示す図である。
【図８】画像が形成されたカードの斜視図である。
【図９】カード積層体の斜視図である。
【図１０】カードを並べて、画像を再現する例を示す図である。
【図１１】図１１ａ〜１１ｄは加熱部の構成例を示す図である。
【図１２】図１２ａは中間転写媒体に印画する画像の例を示す図であり、図１２ｂは画像が形成されたカードの斜視図であり、図１２ｃはカード積層体の斜視図である。
【図１３】別の実施形態に係る熱転写印画装置の概略構成図である。
【図１４】図１４ａ〜１４ｅは別の実施形態に係る熱転写印画方法を説明する図である。
【図１５】変形例によるヒートローラの概略図である。
【図１６】側面転写用のヒートローラの概略図である。
【図１７】カード側面に画像を形成する方法の一例を示す図である。
【発明を実施するための形態】
【００２０】
以下、本発明の実施の形態を図面に基づいて説明する。
【００２１】
図１は、本発明の実施形態に係る熱転写印画装置の概略構成図である。図１に示すように、熱転写印画装置は、熱転写シート２０を用いて、中間転写媒体１０に設けられた受容層１３（図３参照）に画像を印画する印画部５０と、中間転写媒体１０の転写層１４（図３参照）を被転写体のカード４０上に転写する転写部６０と、各部の動作を制御する制御部３０と、を備える。
【００２２】
図２は中間転写媒体１０の平面図であり、図３は図２のIII-III線断面図である。中間転写媒体１０は、支持体１１と、支持体１１の一方の面上に設けられた転写層１４とを備えている。転写層１４は、支持体１１上に設けられた剥離層１２と、剥離層１２上に積層された受容層１３とを有する積層構成をなしている。受容層１３は、中間転写媒体１０の最表面に位置し、転写層１４を構成する層のうち支持体１１から最も遠くに位置している。
【００２３】
中間転写媒体１０には、一定の間隔を空けて検知マーク１５が形成されている。検知マーク１５同士の間が１枚のカード４０に転写される画像形成領域となり、受容層１３にインクが熱転写されて画像が形成される。画像形成済みの転写層１４がカード４０上に転写される。
【００２４】
後述するように、本実施形態では、カード４０の両面（主面４１，４２（図９参照））及び側面に画像が転写される。従って、検知マーク１５同士の間の領域は、カード４０の主面４１の２倍よりも大きくなっている。検知マーク１５は、受容層１３に画像を形成する際に印画されてもよい。
【００２５】
（熱転写シート）
図４は熱転写シート２０の平面図であり、図５は図４のV−V線断面図である。図４、図５に示すように、熱転写シート２０は、基材２１と、基材２１の同一面上に設けられたイエロー（Ｙ）層２２、マゼンタ（Ｍ）層２３、シアン（Ｃ）層２４を含む染料層２５と、ブラック（ＢＫ）の溶融層２６とを有する。染料層２５及び溶融層２６からなる色材層２７の組が繰り返し設けられている。色材層２７を構成する複数の層の少なくともいずれか１つがカード４０の主面４１の２倍より大きくなっていてもよい。
【００２６】
基材２１について特に限定はなく、例えば、薄紙やプラスチックの延伸または未延伸フィルムを用いることができる。
【００２７】
染料層２５は、染料、及び染料を担持するためのバインダー樹脂を含有している。染料及びバインダー樹脂は、昇華型熱転写シートの分野で従来公知のものを適宜選択して用いることができる。
【００２８】
溶融層２６は、加熱により溶融軟化し、転写層１４上に転写可能であるとの条件を満たす層であればよく、例えば、熱溶融性インキ及びバインダー樹脂が含まれる。溶融層２６を省略してもよい。
【００２９】
熱転写シート２０の構成は、図４、図５に示すものに限定されない。例えば、熱転写シート２０の色材層が形成されている面とは反対側の面に背面層（図示略）が設けられていてもよい。
【００３０】
（熱転写印画装置）
図１に示すように、熱転写印画装置の供給部７０（第１供給部）には、中間転写媒体１０をリボン状に巻き取った巻取が装填される。供給部７０は、中間転写媒体１０の巻取を回転させ、中間転写媒体１０を長尺帯状で印画部５０及び転写部６０へ順に搬送する。
【００３１】
印画部５０は、サーマルヘッド５３と、サーマルヘッド５３の下方側に設けられた回転駆動自在なプラテンロール５４と、サーマルヘッド５３をプラテンロール５４に対して昇降自在とさせる昇降手段（図示略）を有する。供給部７０から供給された中間転写媒体１０は、サーマルヘッド５３とプラテンロール５４との間を通過するようになっている。
【００３２】
印画部５０では、熱転写シート２０が、供給ロール５１（第２供給部）側からガイドロール５５を経由して、サーマルヘッド５３とプラテンロール５４との間を通り、ガイドロール５６を経由して、巻取りロール５２に巻き取られるようになっている。サーマルヘッド５３とプラテンロール５４との間において、熱転写シート２０の染料層２５及び溶融層２６と、中間転写媒体１０の受容層１３とが対向するようになっている。
【００３３】
サーマルヘッド５３は、熱転写シート２０の基材２１側から染料層２５を加熱し、中間転写媒体１０の受容層１３に染料を移行して、画像を形成する。また、サーマルヘッド５３は、熱転写シート２０の基材２１側から溶融層２６を加熱し、中間転写媒体１０の受容層１３に熱溶融性インキ等を転写して、画像（文字）を形成する。
【００３４】
画像形成工程では、まず、中間転写媒体１０と、熱転写シート２０のＹ層２２とが位置合わせされ、サーマルヘッド５３がプラテンロール５４に向けて降下し、熱転写シート２０及び中間転写媒体１０を介してサーマルヘッド５３がプラテンロール５４に当接する。プラテンロール５４が回転駆動して、熱転写シート２０及び中間転写媒体１０が送られる。この間、サーマルヘッド５３に送信されてきた画像データに基づいて、サーマルヘッド５３により熱転写シート２０のＹ層２２の領域が選択的に加熱され、熱転写シート２０から受容層１３にイエロー染料が移行する。
【００３５】
イエローの転写後、サーマルヘッド５３が上昇してプラテンロール５４から離れる。次に、中間転写媒体１０と熱転写シート２０のＭ層２３とが位置合わせされる。そして、イエロー染料を受容層１３に移行する方法と同様にして、Ｍ層２３及びＣ層２４を加熱し、マゼンタ染料及びシアン染料を受容層１３に順次移行する。
【００３６】
続いて、サーマルヘッド５３が上昇してプラテンロール５４から離れる。次に、中間転写媒体１０と熱転写シート２０の溶融層２６とが位置合わせされる。サーマルヘッド５３がプラテンロール５４に向けて降下し、熱転写シート２０及び中間転写媒体１０を介してサーマルヘッド５３がプラテンロール５４に当接する。プラテンロール５４が回転駆動して、熱転写シート２０及び中間転写媒体１０が送られる。この間、サーマルヘッド５３に送信されてきた画像データに基づいて、サーマルヘッド５３により、熱転写シート２０の溶融層２６の領域が選択的に加熱される。これにより、中間転写媒体１０に画像が形成される。
【００３７】
印画部５０において受容層１３に画像が形成された中間転写媒体１０は、ガイドロール７２を経由して転写部６０へ搬送される。
【００３８】
転写部６０は、２個のヒートローラ６１、６２と、ヒータ６３とを備える。転写部６０は、被転写体供給部（図示略）から供給されたカード４０へ、中間転写媒体１０の転写層１４を転写する。
【００３９】
カード４０は、例えば、ポリ塩化ビニル、ポリエステル、ポリカーボネート、ポリアミド、ポリイミド、ポリセルロースジアセテート、ポリセルローストリアセテート、ポリスチレン、アクリル樹脂、ポリプロピレン、ポリエチレン等の合成樹脂を母材とし、略矩形状のものである。カード４０は、対向する２つの主面４１，４２と、４つの側面とを有しており（図６、図８参照）、転写部６０は２つの主面４１，４２と、４つの側面のうちの１つの側面４３とに転写層１４を転写する。
【００４０】
カード４０は、カード４０の一対の側辺が中間転写媒体１０の短手方向と平行となり、かつカード４０の主面４１，４２が中間転写媒体１０に対して垂直となるような姿勢で転写部６０へ搬送される。
【００４１】
図６ａ，６ｂに示すように、転写部６０は、ヒートローラ６１とヒートローラ６２との間に中間転写媒体１０と共にカード４０を引き込み、画像が形成された中間転写媒体１０の受容層１３面をカード４０へ重ね合わせて加熱する。カード４０の主面４１とヒートローラ６１との間に中間転写媒体１０が挟み込まれ、ヒートローラ６１が中間転写媒体１０を加熱する。カード４０の主面４２とヒートローラ６２との間に中間転写媒体１０が挟み込まれ、ヒートローラ６２が中間転写媒体１０を加熱する。これにより、転写層１４が支持体１１から剥離されてカード４０の主面４１，４２に同時に転写され、主面４１，４２に画像が形成される。
【００４２】
図６ｃに示すように、ヒータ６３は、カード４０の引き込み方向の延長上に設けられており、中間転写媒体１０の受容層１３面をカード４０の側面４３に重ね合わせて加熱する。カード４０の側面４３とヒータ６３との間に中間転写媒体１０が挟み込まれ、ヒータ６３が中間転写媒体１０を加熱する。これにより、転写層１４が支持体１１から剥離されてカード４０の側面４３に転写され、側面４３に画像が形成される。ヒータ６３の代わりに加熱機構のない板状の押圧部材を設け、カード４０の側面４３と押圧部材との間に中間転写媒体１０を挟み込んで、カード４０の側面４３に転写層１４を転写してもよい。
【００４３】
その後、図６ｄに示すように、カード４０は引き戻される。主面４１，４２及び側面４３に転写層１４が転写されたカード４０は、集積部（図示略）へ搬送されて集積される。転写層１４が転写された後の中間転写媒体１０は回収部７１に巻き取られる。
【００４４】
図７は、印画部５０が中間転写媒体１０に印画する画像の例を示す。印画部５０は、主面４１に形成する画像Ｇ１、側面４３に形成する画像Ｇ３、主面４２に形成する画像Ｇ２の順で画像が並ぶように印画処理を行う。例えば、画像Ｇ１は、１つの画像ＪＧをメッシュ状に複数に分割した分割画像である。メッシュ状に分割するとは、例えば、直線状の複数の分割ラインが直交した状態をいう。
【００４５】
画像Ｇ３は、１つの画像ＴＧをストライプ状に分割した分割画像である。１画像をストライプ状に分割することで、複数の細長い分割画像が一方向に並列に配置される。
【００４６】
例えば、熱転写印画装置に画像ＪＧ、画像ＴＧのデータと、分割数とが入力されると、制御部３０は、画像ＪＧを入力された分割数でメッシュ状に分割し、画像ＴＧを入力された分割数でストライプ状に分割する。制御部３０は、分割画像のデータを順に印画部５０へ転送し、印画処理を制御する。
【００４７】
転写部６０は、中間転写媒体１０の画像Ｇ３がカード４０の側面４３に対向するように位置合わせを行ってから、図６ｂに示すようなカード４０の引き込みを行う。これにより、転写層１４のうち、画像Ｇ１が形成された部分をカード４０の主面４１に転写し、画像Ｇ２が形成された部分を反対側の主面４２に転写することができる。
【００４８】
転写層１４の転写後、図８に示すように、カード４０の主面４１には画像Ｇ１が形成され、主面４２には画像Ｇ２が形成され（図示略）、側面４３には画像Ｇ３が形成される。
【００４９】
印画部５０は、次の印画処理では、画像Ｇ１，画像Ｇ３に別の分割画像、例えば、前回印画した分割画像に隣接する分割画像を中間転写媒体１０に印画する。
【００５０】
主面４２に形成される画像Ｇ２は、カード４０毎に異なるものとしてもよいし、同じものとしてもよい。
【００５１】
側面４３に画像Ｇ３を形成した複数のカード４０を所定の順序で積層した場合、図９に示すように、カード積層体４００の側面４１０に画像（画像ＴＧ）を表現することができる。
【００５２】
このように、本実施形態によれば、カード４０の主面４１（４２）だけでなく側面４３にも画像を形成することができる。また、複数のカード４０を積層した場合、積層体４００の側面４１０に画像を表現することができる。側面４１０の絵のつながりから、カードの欠落有無を判断できる。
【００５３】
カード４０の主面４１に画像ＪＧをメッシュ状に分割した画像を形成することで、図１０に示すように、複数のカード４０をジグソーパズルのように並べて画像ＪＧを再現するように楽しむことができる。また、画像ＪＧを再現した際に、絵のつながりからカードの欠落有無を判断できる。
【００５４】
上記実施形態において、カード４０の主面４１，４２、側面４３に形成する画像は特に限定されない。主面４１や側面４３に形成される画像は分割画像でなくてもよく、カード４０間で同じであってもよいし、異なっていてもよい。
【００５５】
上記実施形態では、カード４０の２つの主面４１，４２の両方に画像Ｇ１，Ｇ２を形成する例について説明したが、主面４２には画像を形成しなくてもよい。この場合、ヒートローラ６２を加熱機能の無い加圧ロールに変更してもよい。
【００５６】
カード４０の側面４３を加熱するヒータ６３の加熱面（接触面）は、図１１ａに示すように平坦でもよいし、カード４０との密着度を上げるために、図１１ｂに示すような断面矩形状の凹部Ｄ１、図１１ｃに示すような断面半円形の凹部Ｄ２を加熱面に設けてもよい。凹部Ｄ１，Ｄ２にカード４０の端部が入り込む。
【００５７】
図１１ｄに示すように、ヒータ６３は、中間転写媒体１０を介してカード４０の側面に接触する接触部６３ａと、接触部６３ａに熱を与える加熱部６３ｂとを有するものであってもよい。
【００５８】
カード４０の４つの側面のうち、２つ以上の側面に画像を形成してもよい。例えば、図１２ａに示すように、画像Ｇ１の隣に画像Ｇ４を形成する。ヒートローラ６１，６２の間に中間転写媒体１０及びカード４０を加熱しながら引き込むことで、図１２ｂに示すように、主面４１に画像Ｇ１を形成すると共に側面４４に画像Ｇ４を形成することができる。例えば、図１５に示すように、ヒートローラ６１を段付きローラとすることで主面４１に画像Ｇ１を形成しながら、側面４４に画像Ｇ４を形成できる。
【００５９】
また、図１６に示すように、側面転写用のヒートローラ６４，６５を設けてもよい。
【００６０】
側面４３，４４に画像Ｇ３、Ｇ４を形成した複数のカード４０を所定の順序で積層した場合、図１２ｃに示すように、カード積層体４００の側面４１０，４２０に画像を表現することができる。例えば、１つの画像を側面４１０及び側面４２０にわたって表現することができる。
【００６１】
主面４１，４２及び側面４３に画像を形成した後、カード４０を引き戻し、主面と水平な面内で９０°回転させてから再度カード４０を引き込み、側面４４に画像を形成してもよい。この時、主面４１，４２に形成した画像に影響を与えないようにヒートローラ６１，６２の温度を制御することが好ましい。また、主面４１，４２を断熱部材で覆ってもよい。
【００６２】
（中間転写媒体）
上述したように、中間転写媒体１０は、支持体１１、剥離層１２及び受容層１３が積層された構成となっている。支持体１１の材料について特に限定はなく、例えば、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルム等を挙げることができる。また、これらの材料を２種以上積層した複合フィルムも使用することができる。支持体１１の厚さは、その強度および耐熱性等が適切になるように材料に応じて適宜選択することができるが、通常は３μｍ以上３０μｍ以下の範囲であり、好ましくは４μｍ以上２０μｍ以下の範囲である。
【００６３】
受容層１３の材料について特に限定はなく、中間転写媒体の分野で従来公知の受容層を適宜選択して用いることができる。例えば、ポリプロピレン等のポリオレフィン、ポリ塩化ビニルもしくはポリ塩化ビニリデン等のハロゲン化樹脂、ポリ酢酸ビニル、塩化ビニル−酢酸ビニル共重合体、エチレン−酢酸ビニル共重合体もしくはポリアクリル酸エステル等のビニル樹脂、ポリエチレンテレフタレートもしくはポリブチレンテレフタレート等のポリエステル、ポリスチレン、ポリアミド、エチレンもしくはプロピレン等のオレフィンと他のビニルポリマーとの共重合体、アイオノマーもしくはポリセルロースジアスターゼ等のセルロース樹脂、ポリカーボネート、アクリル樹脂等の溶剤系の樹脂を挙げることができる。また、受容層１３は、これらの成分の１種を単独で含有していてもよく、２種以上を含有していてもよい。
【００６４】
受容層１３は、上記樹脂成分とともに、離型剤を含有していてもよい。離型剤としては、例えば、ポリエチレンワックス、アミドワックス、テフロン（登録商標）パウダー等の固形ワックス類、フッ素系またはリン酸エステル系界面活性剤、シリコーンオイル、反応性シリコーンオイル、硬化型シリコーンオイル等の各種変性シリコーンオイル、および各種シリコーン樹脂などを挙げることができる。
【００６５】
受容層１３の厚みについて特に限定はないが、一例としては、１μｍ以上１０μｍ以下の範囲である。
【００６６】
剥離層１２は、転写層１４の転写性（剥離性）を向上させるためのものであり、転写層１４を構成する層のうち支持体１１の最も近くに位置している。剥離層１２の成分としては、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等を挙げることができる。また、剥離層１２は、これらの成分の１種を単独で含有していてもよく、２種以上を含有していてもよい。
【００６７】
剥離層１２の厚みについて特に限定はないが、一例としては、０．５μｍ以上５μｍ以下の範囲である。
【００６８】
中間転写媒体１０の構成は、図３に示すものに限定されない。例えば、剥離層１２と受容層１３との間に、保護層（図示略）等の任意の層が設けられていてもよい。また、支持体１１側から、保護層、受容層１３がこの順で積層されてなる転写層１４とすることもできる。また、支持体１１と転写層１４との間に任意の層が設けられていてもよい。また、支持体１１の他方の面上に、背面層（図示略）が設けられていてもよい。
【００６９】
（別の実施形態に係る熱転写印画装置）
カードの主面及び側面に画像を形成する熱転写印画装置は図１に示すものに限定されない。例えば、図１３に示すように、転写部６０Ａのヒートローラ６４とプラテンローラ６５との間に、中間転写媒体１０及びカード４０を挟持し、ヒートローラ６４を加熱しながら回転させ、中間転写媒体１０の転写層１４をカード４０の主面４１に転写する。そして、カード４０の搬送方向の後端部がヒートローラ６４に到達した際にヒートローラ６４の回転を一時停止する。これにより、中間転写媒体１０の転写層１４がカード４０の側面４３に転写される（図１３の拡大図参照）。
【００７０】
カード４０の主面に画像を形成した後、複数のカード４０を積層し、カード積層体の側面に画像を形成してもよい。例えば、図１４ａに示すように、プリンタＰで複数のカード４０の主面に画像を形成する。続いて、図１４ｂに示すように、主面に画像が形成された複数のカード４０を積層して押さえつける。
【００７１】
図１４ｃに示すように、中間転写媒体１０Ａの転写層に、カード積層体の側面用の画像Ｇ５を形成する。図１４ｄに示すように、ヒートローラＨを用いて中間転写媒体１０Ａの転写層をカード積層体の側面に転写する。これにより、図１４ｅに示すように、カード積層体の側面に画像が形成できる。ヒートローラ６１，６２又はカード４０を上下させ、カード４０の端部にヒートローラ６１，６２を接触させて側面４３に画像Ｇ３を形成してもよい。この場合、ヒータ６３は省略可能である。
【００７２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７３】
本発明を特定の態様を用いて詳細に説明したが、本発明の意図と範囲を離れることなく様々な変更が可能であることは当業者に明らかである。
本出願は、２０１８年４月２４日付で出願された日本特許出願２０１８−０８３１８５に基づいており、その全体が引用により援用される。
【符号の説明】
【００７４】
１０  中間転写媒体
１１  支持体
１２  剥離層
１３  受容層
１４  転写層
１５  検知マーク
２０  熱転写シート
２１  基材
２２  イエロー層
２３  マゼンタ層
２４  シアン層
２５  染料層
２６  溶融層
２７  色材層
４０  カード
４１，４２  主面
４３  側面
５０  印画部
６０  転写部
６１，６２  ヒートローラ
６３  ヒータ
【図１】
2019208531.tif 000003
【図２】
2019208531.tif 000004
【図３】
2019208531.tif 000005
【図４】
2019208531.tif 000006
【図５】
2019208531.tif 000007
【図６】
2019208531.tif 000008
【図７】
2019208531.tif 000009
【図８】
2019208531.tif 000010
【図９】
2019208531.tif 000011
【図１０】
2019208531.tif 000012
【図１１】
2019208531.tif 000013
【図１２】
2019208531.tif 000014
【図１３】
2019208531.tif 000015
【図１４】
2019208531.tif 000016
【図１５】
2019208531.tif 000017
【図１６】
2019208531.tif 000018
【図１７】
2019208531.tif 000019
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
支持体の一方の面に前記支持体から剥離可能に転写層が設けられた中間転写媒体を供給する第１供給部と、
基材の一方の面上に色材層が設けられた熱転写シートを供給する第２供給部と、
画像データに基づいて前記熱転写シートを加熱し、前記転写層に前記色材層のインクを転写して画像を形成する印画部と、
前記中間転写媒体を加熱し、前記画像が形成された前記転写層を前記カードの主面及び側面に転写する転写部と、
を備え、
前記転写部は、
第１ヒートローラ及び第２ヒートローラを有し、前記カードの第１主面と前記第１ヒートローラとの間に前記中間転写媒体を挟み、前記カードの第２主面と前記第２ヒートローラとの間に前記中間転写媒体を挟み、前記第１主面及び前記第２主面に前記転写層を転写し、
前記カードの側面との間に前記中間転写媒体を挟み込み、前記転写層を前記側面に転写する押圧部材を有する熱転写印画装置。
【請求項２】
前記押圧部材はヒータであることを特徴とする請求項１に記載の熱転写印画装置。
【請求項３】
前記中間転写媒体を介して前記カードの側面に接触する前記押圧部材の接触面は平坦になっていることを特徴とする請求項１又は２に記載の熱転写印画装置。
【請求項４】
前記中間転写媒体を介して前記カードの側面に接触する前記押圧部材の接触面には、前記カードの端部が入り込む凹部が設けられていることを特徴とする請求項１又は２に記載の熱転写印画装置。
【請求項５】
前記印画部は、前記転写層に、前記主面用の第１画像と、前記側面用の第２画像を形成し、
前記第２画像は、１つの画像をストライプ状に分割した分割画像であることを特徴とする請求項１乃至４のいずれか１項に記載の熱転写印画装置。
【請求項６】
前記第１画像は、１つの画像をメッシュ状に分割した分割画像であることを特徴とする請求項５に記載の熱転写印画装置。
【請求項７】
支持体の一方の面に前記支持体から剥離可能に転写層が設けられた中間転写媒体を供給する第１供給部と、
基材の一方の面上に色材層が設けられた熱転写シートを供給する第２供給部と、
画像データに基づいて前記熱転写シートを加熱し、前記転写層に前記色材層のインクを転写して画像を形成する印画部と、
前記中間転写媒体を加熱し、前記画像が形成された前記転写層を前記カードの主面及び側面に転写する転写部と、
を備え、
前記転写部は、前記カードの側面との間に前記中間転写媒体を挟み込み、前記転写層を前記側面に転写する押圧部材を有し、
前記中間転写媒体を介して前記カードの側面に接触する前記押圧部材の接触面は平坦になっていることを特徴とする熱転写印画装置。
【請求項８】
支持体の一方の面に前記支持体から剥離可能に転写層が設けられた中間転写媒体を供給する第１供給部と、
基材の一方の面上に色材層が設けられた熱転写シートを供給する第２供給部と、
画像データに基づいて前記熱転写シートを加熱し、前記転写層に前記色材層のインクを転写して画像を形成する印画部と、
前記中間転写媒体を加熱し、前記画像が形成された前記転写層を前記カードの主面及び側面に転写する転写部と、
を備え、
前記転写部は、前記カードの側面との間に前記中間転写媒体を挟み込み、前記転写層を前記側面に転写する押圧部材を有し、
前記中間転写媒体を介して前記カードの側面に接触する前記押圧部材の接触面には、前記カードの端部が入り込む凹部が設けられていることを特徴とする熱転写印画装置。
【請求項９】
支持体の一方の面に前記支持体から剥離可能に転写層が設けられた中間転写媒体を供給する工程と、
基材の一方の面上に色材層が設けられた熱転写シートを供給する工程と、
画像データに基づいて前記熱転写シートを加熱し、前記転写層に前記色材層のインクを転写して画像を形成する工程と、
前記中間転写媒体を加熱し、前記画像が形成された前記転写層をカードの主面及び側面に転写して印画物を製造する工程と、
を備え、
前記カードの第１主面と第１ヒートローラとの間に前記中間転写媒体を挟み、前記カードの第２主面と第２ヒートローラとの間に前記中間転写媒体を挟み、前記第１主面及び前記第２主面に前記転写層を転写し、
前記カードの側面と押圧部材との間に前記中間転写媒体を挟み込み、前記側面に前記転写層を転写する印画物の製造方法。
【請求項１０】
複数のカードを含むカードセットであって、
各カードの側面に画像をストライプ状に分割した分割画像が印画されており、
前記複数のカードを積層した積層体の側面に前記画像が表現されることを特徴とするカードセット。
【請求項１１】
各カードの主面には、１つの画像を分割した分割画像が印画されていることを特徴とする請求項１０に記載のカードセット。
【国際調査報告】
2019208531.tif 000020
2019208531.tif 000021
2019208531.tif 000022